(57)【特許請求の範囲】
【請求項１】
水平面に対して上側主面が傾斜するように設置される太陽電池パネルと、
前記太陽電池パネルの下端近傍に設けられており、前記上側主面の上端から下端に向かう傾斜方向において前記上側主面に対して傾斜する第１主面を有する雪止めとを具備する太陽電池装置であって、
前記第１主面は、前記太陽電池パネルから近い部位に前記上側主面に対して緩やかに傾斜し前記傾斜方向の下り側に突出した曲面からなる第１部分と、
前記太陽電池パネルから遠い部位に前記上側主面に対して前記第１部分よりも急に傾斜した第２部分とを有しており、
前記第１部分および前記第２部分は、その根本側から先端側にかけて前記傾斜方向の下り側に沿う角度を有し下り側に逆行しない太陽電池装置。
【請求項２】
前記雪止めは、前記第１主面からその反対側の表面までを貫通するかまたは切欠いてなる非形成部を有している、請求項１に記載の太陽電池装置。
【請求項３】
請求項１または２に記載の前記太陽電池パネルと前記雪止めを前記傾斜方向に複数個並べてなる太陽電池装置。
【請求項４】
前記傾斜方向の最も下り側に位置する前記雪止めは、前記第２部分の上端から前記傾斜方向の下り側に延びる補助部をさらに有しており、
該補助部は、前記第２部分に連続するとともに前記上側主面の延長面から最も離れた頂部を経て前記延長面に近づく第２主面を有している、請求項３に記載の太陽電池装置。
【請求項５】
前記第２主面は、前記頂部の近傍が曲面よりなる、請求項４に記載の太陽電池装置。
【請求項６】
前記複数の太陽電池パネルは段葺きされてなる、請求項３乃至５のいずれかに記載の太陽電池装置。
【発明の詳細な説明】
【技術分野】
【０００１】
本発明は、太陽電池装置に関する。
【背景技術】
【０００２】
近年、環境保護の観点から住宅に取り付けられる太陽電池装置の普及が進んでいる。
【０００３】
このような太陽電池装置は住宅の機能を損なうことなく、屋根上に設置できることが求められる。例えば積雪地域の住宅の屋根に求められる機能として雪止めがある。雪止めは屋根上に雪を留めることで、落雪に伴う大きな音の発生等を防止する機能がある。
【０００４】
一方で、太陽電池装置の太陽電池パネルの表面はガラスで覆われていることから滑りやすく、大きな雪の塊が一度に落ちやすく大きな音を発生させやすい。
【０００５】
この問題を解決するために、太陽電池装置に雪止めを設けて、太陽電池装置からの落雪を抑制することが提案されている。
【先行技術文献】
【特許文献】
【０００６】
【特許文献１】特開２０１４−７０３５５号公報
【発明の概要】
【発明が解決しようとする課題】
【０００７】
しかしながら特許文献1の太陽電池装置は、太陽電池モジュールの軒側に線状に設けら
れた、太陽電池装置の主面に対して略直角に立設した低背の雪止めを有している。このような雪止めは、雨水を堰き止めて貯留しやすい形状であるため、太陽電池装置上を流れる雨水の量が増すと雪止めを超える量まで水が滞留してから雪止めを乗り越える流れとなり、太陽電池装置上を流れる雨水の流れは上下に波打つ乱流となりやすい。
【０００８】
このように乱流となった水流は、最も軒先側に位置する太陽電池モジュールの雪止めを乗り越えた際に広い範囲に飛散し、一部の水流が屋根の雨樋を飛び越えて落ち、空調の室外機等の上で長時間に渡り大きな音を立てたり、下を通りかかった人に多量の水を浴びせるという問題を生じる。
【０００９】
また、軒先から飛び散る水流を受けるために、屋根から大きく張り出した雨樋を設けると、屋根からの滑雪が雨樋に引っ掛かり、雨樋が破損してしまう。
【００１０】
そこで、この問題を回避するために屋根の軒先側に通常の平板瓦等の屋根材で覆われた区間を残し、軒先から少し距離を取って太陽電池装置を配置するなどの対策がとられてきた。しかしこのような対策の場合、屋根の軒先側に至るまで太陽電池装置を設置することができず、太陽電池装置の設置面積が小さくなり、発電量が小さくなるという問題があった。
【００１１】
したがって、太陽電池装置の軒先からの雨水の飛散距離を抑制し屋根の雨樋で雨水を収集することができる構造の雪止めを備えた太陽電池装置が要求される。
【課題を解決するための手段】
【００１２】
本発明の一形態に係る太陽電池装置は、水平面に対して上側主面が傾斜するように設置される太陽電池パネルと、前記太陽電池パネルの下端近傍に設けられており、前記上側主面の上端から下端に向かう傾斜方向において前記上側主面に対して傾斜する第１主面を有する雪止めとを具備する太陽電池装置であって、前記第１主面は、前記太陽電池パネルから近い部位に前記上側主面に対して緩やかに傾斜し前記傾斜方向の下り側に突出した曲面からなる第１部分と、前記太陽電池パネルから遠い部位に前記上側主面に対して前記第１部分よりも急に傾斜した第２部分とを有しており、前記第１部分および前記第２部分は、その根本側から先端側にかけて前記傾斜方向の下り側に沿う角度を有し下り側に逆行しない。
【発明の効果】
【００１３】
本発明の一実施形態に係る太陽電池装置によれば、雪止めの第１部分が太陽電池パネルから近い部位において、太陽電池パネルの上側主面に対して緩やかに傾斜していることから、雨水の水流が乱流となることを抑制し、水流を層流に近い状態に維持することができる。
【００１４】
さらに、第１部分とつながっている第２部分が太陽電池パネルから遠い部位において、太陽電池パネルの上側主面に対して第１部分よりも急に傾斜していることから、第２部分は太陽電池装置状の積雪を滑落しないように保持し、太陽電池装置上から一度に落雪することを防止する効果を高めつつ、水流を層流の方向へ整流する効果を有する。
【００１５】
これにより太陽電池装置の軒先から飛び広がる水の範囲を小さくして、軒先から飛び出す距離を短くすることで、雨水の水流が雨樋を飛び越えることなく、雨樋で回収される。
【００１６】
この結果、屋根の軒先まで太陽電池装置を充填して配置することができ、設置面積を大きくして発電量を高めることができる。
【図面の簡単な説明】
【００１７】
【図１】本発明の一形態に係る太陽電池装置の一実施形態を説明する図であり、（ａ）は斜視図、（ｂ）は（ａ）のＡ−Ａ’線で切断した様子を示す断面図である。
【図２】本発明の一形態に係る太陽電池装置における太陽電池モジュールを構成する太陽電池パネルの一実施形態を説明する図であり、（ａ）は受光面側からみた平面図であり、（ｂ）は（ａ）のＢ−Ｂ’線で切断した様子を示す断面図である。
【図３】本発明の一形態に係る太陽電池装置における太陽電池モジュールの一実施形態を説明する図であり、（ａ）は受光面側からみた平面図、（ｂ）は背面図、（ｃ）は側面図であり、（ｄ）は図３（ａ）のＣ−Ｃ’線で切断した様子を示す断面図である。
【図４】本発明の一形態に係る太陽電池装置の一実施形態を説明する図であり、（ａ）は図１（ｂ）におけるＤ部の拡大図、（ｂ）は図１（ｂ）におけるＥ部の拡大図である。
【図５】本発明の一形態に係る太陽電池装置の一実施形態を説明する図であり、（ａ）は図４（ａ）の太陽電池装置上の雨水の流れを説明する模式図であり、（ｂ）は図４（ｂ）の太陽電池装置上の雨水の流れを説明する模式図である。
【図６】従来の太陽電池装置の一実施形態を示す図４（ａ）に相当する断面図である。
【図７】本発明の他の実施形態に係る太陽電池装置を説明する図であり、図３（ｄ）に相当する断面図である。
【図８】本発明の他の実施形態に係る他の太陽電池装置を説明する斜視図である。
【図９】本発明の他の実施形態に係る他の太陽電池装置を説明する断面図である。
【発明を実施するための形態】
【００１８】
以下、本発明の一実施形態に係る太陽電池装置について、図面を参照しつつ詳細に説明する。なお、太陽電池装置を構成する同一名称の部材については同一符号を付すものとし、重複した説明を省略する。また、図面は模式的に示したものであり、各図における構成
要素のサイズおよび位置関係等は必ずしも正確に示したものではない。
＜太陽電池装置の基本構成＞
図１（ａ），（ｂ）に示すように、太陽電池装置１は、水平面２に対して傾斜した構造物の傾斜面３（例えば、野地板３ａと、この野地板３ａ上に傾斜方向へ一定間隔で配置された桟木３ｂとで構成される面（本実施形態では例えば屋根面））上に、複数の太陽電池モジュール４を固定した構造を有する。
【００１９】
また、図３（ａ），（ｂ），（ｃ），（ｄ）に示すように、各太陽電池モジュール４は、それを構成する太陽電池パネル１１の外周部を複数のフレーム部材で構成されるフレーム１２で補強して、太陽電池パネル１１の裏面に例えば一対の固定用部材２０を取り付けている。
【００２０】
なお、以下の説明では、傾斜面３に平行でかつ傾斜面３と水平面２との交線に垂直な方向を傾斜方向Ｘとし、傾斜面３と水平面２との交線に沿って延びる方向を水平方向Ｙとし、傾斜方向Ｘおよび水平方向Ｙの双方に対して垂直な方向を垂直方向Ｚとする。
【００２１】
また、通常、太陽電池パネル１１の光を受けて発電に寄与する側の面を上側主面１１ａとし、受光面と反対側の面を裏面１１ｂとする。また、太陽電池装置１が傾斜面３上へ設置された際に、傾斜方向Ｘにおける上方向側を棟側とし、傾斜方向Ｘにおける下方向側を軒側とする。
＜太陽電池モジュール＞
まず、太陽電池モジュール４の具体的な構成例について説明する。
【００２２】
図３（ａ），（ｂ），（ｃ）、（ｄ）に示すように、太陽電池モジュール４は、太陽電池パネル１１を４個のフレーム部材（１２ａ，１２ｂ，１２ｃ）で構成されるフレーム１２で補強して、その裏面に例えば一対の固定用部材２０を取り付けている。
【００２３】
図２（ａ），（ｂ）に示すように、太陽電池パネル１１は、主として光を受光する上側主面１１ａ（透光性基板１４の一主面）と該上側主面１１ａの反対側に位置する裏面１１ｂ（裏面保護部材１３の一主面）とを有している。
【００２４】
また、太陽電池パネル１１は、上側主面１１ａ側から順に、太陽電池モジュール４の基板を兼ねる透光性基板１４と、熱硬化性樹脂からなる一対の充填材１５と、これら充填材１５に周囲を保護されインナーリード１６で互いに電気的に接続された複数の太陽電池素子１７と、裏面保護部材１３とを備えている。
【００２５】
さらに、太陽電池パネル１１は、太陽電池モジュール４の太陽電池素子１７で得られた出力を外部に取り出すための端子ボックス１８を備えている。
【００２６】
太陽電池パネル１１の外形は受光面側からみて矩形状である。
【００２７】
以下、太陽電池装置１を設置した際に、軒側に位置する長辺を下端（例えば軒側）１１ｃとし、棟側に位置する長辺を上端（例えば棟側）１１ｄとし、一対の短辺を短辺１１ｅとする。
【００２８】
太陽電池パネルの裏面１１ｂ側は全く受光（発電に寄与）しないわけではない。例えば、裏面保護部材１３および太陽電池素子１７と裏面保護部材１３との間に位置する充填材１５に、透光性を有するような材質を用いることによって、非受光面１１ｂ側から入射される光の一部を受けて発電に寄与させることができるので、このような形態を採用してもよい。
【００２９】
太陽電池素子１７は、例えば、単結晶シリコンまたは多結晶シリコン等からなる平板状の部材が用いられる。このようなシリコン基板を用いる場合は、上述したように、インナーリード１６で隣接するシリコン基板同士を電気的に接続すればよい。
【００３０】
また、太陽電池素子１７の種類は特に制限されない。
例えば、太陽電池素子１７として、アモルファスシリコンからなる薄膜太陽電池、主に銅−インジウム−ガリウム−セレンの四元化合物からなるＣＩＧＳ系太陽電池、ＣｄＴｅ系太陽電池、または結晶シリコン基板上に薄膜アモルファスを形成した太陽電池等を用いてもよい。
【００３１】
例えば、アモルファスシリコン系太陽電池、ＣＩＧＳ系太陽電池またはＣｄＴｅ系太陽電池を採用する場合、透光性基板上において、アモルファスシリコン層、ＣＩＧＳ層またはＣｄＴｅ層を透明電極等と組み合わせて適宜積層するようにしたものが利用できる。
【００３２】
また、端子ボックス１８は、変性ポリフェニレンエーテル樹脂（変性ＰＰＥ樹脂）またはポリフェニレンオキサイド樹脂（ＰＰＯ樹脂）からなる箱体内にターミナル板を備えており、さらに端子ボックス１８の外部へ電力を導出する出力ケーブルを備えるものでよい。
【００３３】
フレーム１２は、太陽電池パネル１１を保護する機能を有する。
【００３４】
フレーム１２の部材としてアルミニウム材を用いた場合、押し出し成形等で製造することができるので好適である。
【００３５】
フレーム１２は例えば４個のフレーム部材を組み合わせて構成される。つまり、フレーム１２は第１フレーム部材（例えば軒側に配置される）１２ａと第２フレーム部材（例えば棟側に配置される）１２ｂと２個の第３フレーム部材（短辺）１２ｃとからなる。
【００３６】
第１フレーム部材（軒側）１２ａは太陽電池パネル１１の下端（軒側）１１ｃを保護し、第２フレーム部材（棟側）１２ｂは太陽電池パネル１１の上端（棟側）１１ｄを保護し、さらに第３フレーム部材（短辺）１２ｃは、太陽電池パネル１１の短辺１１ｅを保護する。
【００３７】
図３（ｄ）に示すように第１フレーム部材（軒側）１２ａは、上面１２ａ１と、上面１２ａ１の下側に設けられ太陽電池パネル１１の下端（軒側）１１ｃと嵌合する嵌合部１２ａ２と、上面１２ａ１の端部から−Ｚ方向へ下垂する側面１２ａ３を有する。そして第１フレーム部材（軒側）１２ａは、その上面１２ａ１からＺ方向へ突出する雪止め１２ａ４を、第１フレーム部材（軒側）１２ａの長手方向に沿って有する。
【００３８】
より詳細に説明すると雪止め１２ａ４は、太陽電池パネル１１の下端（軒側）１１ｃ近傍に設けられており、上側主面１１ａの上端（棟側）１１ｄから下端（軒側）１１ｃに向かう方向において上側主面１１ａに対して傾斜する第１主面１２ａ４１を有する。さらに第１主面１２ａ４１は、太陽電池パネル１１から近い部位に上側主面１１ａに対して緩やかに傾斜した第１部分１２ａ４１１と、太陽電池パネル１１から遠い部位に上側主面１１ａに対して前記第１部分１２ａ４１１よりも急に傾斜した第２部分１２ａ４１２とを有している。
【００３９】
雪止め１２ａ４は、太陽電池パネル１１への太陽光への入射を妨げずかつ、太陽電池モジュール４上への積雪の下部を保持する観点から、低背なものが好ましく例えば太陽電池
パネル１１の上側主面１１ａに対して垂直方向Ｚへ５ｍｍ〜１５ｍｍの高さに設けるとよい。さらに第１主面１２ａ４１の第１部分１２ａ４１１と第２部分１２ａ４２２については、以下のようにするとよい。第１部分１２ａ４１１は、その根元側から先端側にかけて傾斜方向Ｘの下り側に沿う角度を有し、上側主面１１ａに対する角度θ１は、水流を乱流としない観点から２０°〜４０°とすることが好ましい。第２部分１２ａ４１２は、同様にその根元側から先端側にかけて傾斜方向Ｘの下り側に沿う角度を有し、上側主面１１ａに対する角度θ２は積雪を留める観点から５０°〜７０°にするとよい。
【００４０】
なお、雪止め１２ａ４のＸＺ断面において、第１部分１２ａ４１１の長さは第１主面１２ａ４１の長さの１／３以上有しており、かつ、第２部分１２ａ４１２の長さは第１主面１２ａ４１の長さの１／３以上有しているのがよい。これによって、積雪を良好に保持できるとともに水流を良好にすることができる。
【００４１】
固定用部材２０は、図３に示すように、棟側端部の受光面側に第１鉤状部２４を有しており、棟側端部の裏面側へ延びた脚部２５をさらに有している。
【００４２】
また、脚部２５には孔部２６が設けられている。
この孔部２６を用いて、図１（ｂ）に示すように、木ねじ２７で野地板３ａに対して固定部材２０を固定させることができる。
【００４３】
また、固定用部材２０は、軒側端部にタップ加工が施されたねじ孔２８を有しており、締結ねじ２９によって第１フレーム部材（軒側）１２ａと締結されて固定させることができる。
【００４４】
さらに、固定用部材２０は、軒側の裏面側に第２鉤状部３０を備えている。
【００４５】
第２鉤状部３０は、太陽電池装置１を設置したときに、軒側に配置された他の太陽電池モジュール４の第２フレーム部材（棟側）１２ｂに係合することができる。
このような固定用部材２０は耐食性の観点から、ステンレスまたは溶融亜鉛メッキを施した鉄鋼などを用いて、プレス加工等によって製造することができる。
＜太陽電池装置＞
次に、上記構成の太陽電池モジュール４の複数を瓦重ねした太陽電池装置１の構成例について説明する。
【００４６】
以下、説明の便宜上、上下に隣接して設置された複数枚の太陽電池モジュール４のうち、傾斜方向Ｘの最も下り側（軒側）に位置する太陽電池モジュールを第１太陽電池モジュール４ａとして、第１太陽電池モジュール４ａの上側に位置する太陽電池モジュールを第２太陽電池モジュール４ｂとする。また太陽電池モジュール４ｂの上側に位置する太陽電池モジュール４を第３太陽電池モジュール４ｃとする。また太陽電池モジュール４ｃの上側に位置する太陽電池モジュール４を第４太陽電池モジュール４ｄとする。
【００４７】
第１太陽電池モジュール４ａの第２フレーム部材（棟側）１２ｂを第２太陽電池モジュール４ｂの第２鉤状部３０で挟持することによって、第２太陽電池モジュール４ｂが第１太陽電池モジュール４ａ上に瓦重ね状に段葺きして固定される。
【００４８】
一方、固定用部材２０がない位置では、上段の第２太陽電池モジュール４ｂは下段の第１太陽電池モジュール４ａの第２フレーム部材（棟側）１２ｂの上部に覆い被さるように配置されている。
【００４９】
また、第２太陽電池モジュール４ｂの棟側は、木ねじ２７を固定用部材２０の孔部２６
に挿通して、野地板３ａへ締めこむことで野地板３ａ上に固定される。
【００５０】
また、図１（ａ）に示すように、太陽電池モジュール４は、例えば建物の野地板３ａ上に、セラミックスまたは金属製の屋根瓦６と混在して設置することが可能である。
【００５１】
つまり、太陽電池モジュール４を複数の屋根瓦６によって囲まれるように設置することができるし、屋根瓦６を太陽電池モジュール４同士の間に配した設置にすることもできるし、または屋根の一面を全て太陽電池モジュール４とした設置にすることもできる。
【００５２】
本実施形態では、屋根瓦６として例えば平坦な平板瓦を使用しているが、波型瓦を使用してもよい。
＜効果＞
次に、上記太陽電池装置１の効果の詳細について説明する。
【００５３】
図４（ａ）（ｂ）、図５（ａ）（ｂ）に示すように、それぞれの太陽電池モジュール４の雪止め１２ａ４は、太陽電池パネル１１の下端（軒側）１１ｃ近傍に設けられており、上側主面１１ａの上端（棟側）１１ｄから下端（軒側）１１ｃに向かう傾斜方向において上側主面１１ａに対して傾斜する第１主面１２ａ４１を有する。そして第１主面１２ａ４１は、太陽電池パネル１１から近い部位に上側主面１１ａに対して緩やかに傾斜した第１部分１２ａ４１１を有する。
【００５４】
このことにより、太陽電池パネル１１の上側主面１１ａ上を流下してきた雨水の水流が、第１フレーム部材（軒側）１２ａの上面１２ａ１から雪止め１２ａ４の第１部分１２ａ４１１上へとスムースに流れて、流速の時間的な変化の少ない層流の状態が維持されて、雨水の水流４０が雪止め１２ａ４上へと流れる際に乱流となることを抑制することができる。
【００５５】
さらに雪止め１２ａ４は、太陽電池パネル１１から遠い部位に第２部分１２ａ４１２を有している。第２部分１２ａ４１２は、第１部分１２ａ４１１と連続しており、上側主面１１ａに対して前記第１部分１２ａ４１１よりも急な傾斜を有している
これにより雨水の水流４０が、第１部分１２ａ４１１から第２部分１２ａ４１２へと層流に近い状態を維持しつつ流れて、雪止めを乗り越えて水下側に位置する第１太陽電池モジュール４ａへと流れ落ちる。この雨水の水流４０は、第１太陽電池モジュール４ａの太陽電池パネル１１へと流れ落ちた後も流速の時間的変化の少ない状態であることから、第１太陽電池モジュール４ａの太陽電池パネル１１を流下し次の雪止め１２ａ４に至るまでに層流に近い状態へと整えられ、同様に雪止め１２ａ４を乗り越えて雨水が流れ落ちる。
【００５６】
このように雨水の水流４０が、層流に近い状態で太陽電池装置１の上を流下することができる雪止め１２ａ４を設けたことにより、太陽電池装置１の最も軒側から流れ落ちる際に、水流が拡散する範囲が小さくなり、雨水が雨樋７中へ好適に収集される。
【００５７】
この結果、太陽電池装置１を傾斜面３ａの軒先まで葺くことができ、一方で第２部分１２ａ４１２が、太陽電池パネル１１の上側主面１１ａに対して急な角度を有していることから、積雪を太陽電池モジュール４位上に留める効果を有する。さらに傾斜方向Ｘへ隣接する複数の太陽電池モジュール４に雪止め１２ａ４が設けられている。これにより、雪止め１２ａ４が低背に設けられていても、各太陽電池モジュール４において積雪を分担して滑雪から留めることで十分な効果を得ることができるとともに、太陽電池パネルが段葺きされており水流が乱れやすい構造である場合により必要とされる機能を提供することができる。
【００５８】
このように本発明の太陽電池装置１を用いることで、住宅の屋根への太陽電池装置の設置容量を大きくし発電容量を高めることができる。
【００５９】
本発明の効果を確認するために実験を行った。太陽電池モジュール４を傾斜方向Ｘへ９枚設置した太陽電池装置１を構成し、棟側から約１４０ｍｍ／ｈの流量でシャワー状に放水し、雨樋７に相当する位置において太陽電池装置１から水流が飛散する最大距離Ｌの測定を行った。最大距離Ｌの計測は図５（ｂ）に示す位置で行った。また本発明の効果を確認するために比較として、図６のように太陽電池パネル１１の上側主面１１ａに対して傾斜方向Ｘの下り側に逆行するように立設した従来の太陽電池装置１Ａで同様に試験を行った。
【００６０】
試験の結果、本発明による雪止め１２ａ４を設けた本発明の太陽電池装置１における、軒先からの水流の飛散距離は７０ｍｍであり、比較とした従来の太陽電池装置１Ａの飛散距離８０ｍｍよりも小さくなる結果を得た。
＜第２実施形態＞
次に、本発明の第２実施形態に係る太陽電池装置１について図７を参照して説明する。図７に示すように、太陽電池装置１を構成する太陽電池モジュール４の雪止め１２ａ４の第１部分１２ａ４１１が傾斜方向の下り側に突出する曲面からなる点で第１実施形態と相違する。
【００６１】
このような第１部分１２ａ４１１を設けたことにより、雨水の水流が層流に近い状態へと維持されやすくなり、太陽電池装置１の軒側から飛散する雨水の距離をより縮小することができる。
【００６２】
なお、第２部分１２ａ４１２は平面に限られるものではなく、例えば図７に示すように第２部分１２ａ４１２を曲面とし、第１部分１２ａ４１１と連続した曲面となるように形成してもよい。
【００６３】
第１部分１２ａ４１１と第２部分１２ａ４１２をこのような形状に形成することにより、雪止め１２ａ４の乗り越える水流をより層流に近い状態にすることができる。
＜第３実施形態＞
次に、本発明の第３実施形態に係る太陽電池装置１について、図８を参照して説明する。図８（ａ）に示すように、雪止め１２ａ４が第１主面１２ａ４１から反対側の表面まで貫通した貫通穴１２ａ４１３からなる非成形部を有する点で第１実施形態と第２実施形態と相違する。
【００６４】
このような貫通穴１２ａ４１３を設けたことにより、一部の水流が貫通穴１２ａ４１３を通り流下することから、雪止め１２ａ４を乗り越える水量が少なくなり、水流が乱流となりにくくすることができる。
【００６５】
なお、雪止め１２ａ４に設ける非成形部は、貫通穴１２ａ４１３に限られるものではなく、例えば図８（ｂ）に示す切欠き１２ａ４１４であってもよい。
＜第４実施形態＞
次に図９を用いて、第４実施形態に係る太陽電池装置１について説明する。
【００６６】
図９に示すように、第１太陽電池モジュール４ａは、雪止め１２ａ４の第２部分１２ａ４１２の上端（傾斜方向Ｘの下り側の端）から傾斜方向Ｘの下り側に伸びる補助部１２ａ５を有している点で第１実施形態乃至第３実施形態と相違する。
【００６７】
補助部１２ａ５は、雪止め１２ａ４の第２部分１２ａ４１２と連続するように設けられ
た逆Ｕ字型の断面を有する部材である。換言すると補助部１２ａ５は、太陽電池パネル１１の上側主面１１ａの延長面から最も離れた頂部１２ａ５２を経て、延長面に近づく第２主面１２ａ５１を有している。
【００６８】
このような補助部１２ａ５は、その第２主面１２ａ５１の頂部１２ａ５２の近傍を曲面とするように形成するとさらに好ましい。
【００６９】
第１太陽電池モジュール４ａの雪止め１２ａ４にこのような補助部１２ａ５を設けることで、雨水の水流を整流する効果を得て、太陽電池装置１の軒側から飛散する水流の距離を小さくすることができる。
【００７０】
本発明の効果を確認するために試験を行った。第１実施形態と同様に配列した太陽電池装置１のうち第１太陽電池モジュール４ａの雪止め１２ａ４に補助部１２ａ５を取り付けた。試験の結果、第１実施形態では７０ｍｍであった最大距離Ｌを６０ｍｍに縮小する効果を得ることができた。
【００７１】
これにより、雨樋が屋根から張り出す距離を小さい場合であっても、屋根の軒先まで太陽電池装置１を設置することができ、発電量を高めることができる。
＜その他＞
本実施形態に適用できる太陽電池モジュール４としては、上述の実施形態で説明したスーパーストレート構造のものに限られるものではなく、ガラスパッケージ構造または、サブストレート構造などの種々の構造のものに適用可能である。
【００７２】
なお、本発明は上述の実施の形態に限定されるものではなく、本発明の要旨を逸脱しない範囲において種々の変更、改良などが可能である。例えば、上記実施形態では、太陽電池モジュール４のフレーム１２に雪止め１２ａ４を有する例を示したが、雪止めは太陽電池モジュールとは別体であり、太陽電池モジュールに隣接するようにこの別体の雪止めを設けて太陽電池装置としてもよい。
【符号の説明】
【００７３】
１：太陽電池装置
１Ａ：従来の太陽電池装置
２：水平面
３：傾斜面
３ａ：野地板
３ｂ：桟木
４：太陽電池モジュール
４ａ：第１太陽電池モジュール
４ｂ：第２太陽電池モジュール
４ｃ：第３太陽電池モジュール
４ｄ：第４太陽電池モジュール
５：固定用部材
６：屋根瓦
７：雨樋
１１：太陽電池パネル
１１ａ：上側主面
１１ｂ：裏面
１１ｃ：下端（軒側）
１１ｄ：上端（棟側）
１１ｅ：短辺
１２：フレーム
１２ａ：第１フレーム部材（軒側）
１２ａ１：上面
１２ａ２：嵌合部
１２ａ３：側面
１２ａ４：雪止め
１２ａ４１：第１主面
１２ａ４１１：第１部分
１２ａ４１２：第２部分
１２ａ４１３：貫通穴
１２ａ５：補助部
１２ａ５１：第２主面
１２ａ５２：頂部
１２ｂ：第２フレーム部材（棟側）
１２ｃ：第３フレーム部材（側面）
１３：裏面保護部材
１４：透光性基板
１５：充填材
１６：インナーリード
１７：太陽電池素子
１８：端子ボックス
２０：固定用部材
２４：第１鉤状部
２５：脚部
２６：孔部
２７：木ねじ
２８：ねじ孔
２９：締結ねじ
３０：第２鉤状部
４０：水流
【図１】
0006290725.tif 000002
【図２】
0006290725.tif 000003
【図３】
0006290725.tif 000004
【図４】
0006290725.tif 000005
【図５】
0006290725.tif 000006
【図６】
0006290725.tif 000007
【図７】
0006290725.tif 000008
【図８】
0006290725.tif 000009
【図９】
0006290725.tif 000010